(57)【要約】【課題】穀粒搬出装置の周辺において、横送り筒の旋回や起伏揺動を行うためのアクチュエータに接続された線材と他物との接触を簡単な構造で抑制できるようにする。【解決手段】縦送り筒５５の上下軸心ｙ周りで旋回移動する横送り筒５６とともに上下軸心ｙまわりで移動するガード部材６を縦送り筒５５の外周面の外側に設けて、横送り筒５６を起伏揺動させるためのアクチュエータ５８に接続された線材５８ａの外側を囲繞し、かつ、このガード部材６には、横送り筒５６の旋回移動にともなって線材５８ａが縦送り筒５５の周方向で相対移動することを許容する空間６０を設けてある【選択図】図３
2010124787.tif 000002
【特許請求の範囲】
【請求項１】
グレンタンクの下端側から取り出された穀粒を上方側へ揚送する縦送り筒と、その縦送り筒の上下軸心周りで旋回移動自在に、かつ、縦送り筒の上端近くの水平軸心周りで起伏揺動自在に構成された横送り筒とからなる穀粒搬出装置を設けたコンバインであって、
前記縦送り筒と横送り筒との間にわたって前記横送り筒を起伏揺動させるためのアクチュエータを備え、縦送り筒の上下軸心周りで旋回移動する横送り筒とともに前記上下軸心まわりで移動するガード部材を縦送り筒の外周面の外側に設けて、前記アクチュエータに接続された線材の外側を囲繞し、かつ、このガード部材には、横送り筒の旋回移動にともなって前記線材が縦送り筒の周方向で相対移動することを許容する空間を設けてあることを特徴とするコンバイン。
【請求項２】
ガード部材に設けられる空間は、横送り筒の旋回移動可能な角度範囲と同程度の角度範囲にわたって形成されている請求項１記載のコンバイン。
【請求項３】
ガード部材よりも下方側に離れた位置で、ガード部材に設けられた空間よりも旋回方向での許容角度範囲が少ない線材支持体を、機体固定部側に設けてある請求項１又は２記載のコンバイン。
【発明の詳細な説明】
【技術分野】
【０００１】
本発明は、グレンタンクの下端側から取り出された穀粒を上方側へ揚送する縦送り筒と、その縦送り筒の上下軸心周りで旋回移動自在に、かつ、縦送り筒の上端近くの水平軸心周りで起伏揺動自在に構成された横送り筒とからなる穀粒搬出装置を設けたコンバインに関する。
【背景技術】
【０００２】
上記のように縦送り筒と、その縦送り筒の上下軸心周りで旋回、及び起伏揺動自在に構成された横送り筒とからなる穀粒搬出装置を備えたコンバインとしては、下記［１］又は［２］に示すような構造のものが提案されている。
［１］  横送り筒を起伏揺動させるアクチュエータとしての起伏用油圧シリンダーに接続される油圧ホース、及び、その他の燃料ホースや配線などを、機体フレーム上において、配線・配管カバーで覆い、穀粒搬出装置付近では、前記油圧ホースの動きを制限するための手段を備えていないもの（特許文献１参照）。
［２］  横送り筒の旋回可能範囲を、ストッパーを用いて所定の小角度範囲に制限することにより、アクチュエータへの配線や油圧ホースの損傷を抑制できるようにしたもの（特許文献２参照）。
【０００３】
【特許文献１】特開平１０−３１３６６５号公報（段落〔００１２〕、〔００１４〕、図１，２，４）
【特許文献２】特開２０００−３４２０５３号公報（段落〔００２３〕、〔００２７〕、〔００２９〕、図１，２，６）
【発明の開示】
【発明が解決しようとする課題】
【０００４】
上記［１］に記載の従来構造のものでは、穀粒搬出装置の周辺を除いた機体フレーム上での油圧ホースや配線の保護を行うことが可能であるものの、穀粒搬出装置の周辺では、油圧ホースや配線の保護について何らの手段も講じられていない。したがって、横送り筒の旋回に伴って、起伏用油圧シリンダーに接続されている油圧ホースや、その他の配線類が他物に接触して損傷する虞があった。
【０００５】
上記［２］に記載の従来構造のものでは、横送り筒の旋回可能範囲を、ストッパーを用いて所定の小角度範囲に制限することにより、横送り筒が無制限に回動してアクチュエータへの配線や油圧ホースが損傷することを抑制できるようにしている。しかしながら、この従来構造のものにおいても穀粒搬出装置の周辺では、油圧ホースや配線の保護について何らの手段も講じられていない。したがって、この構造のものにおいても、横送り筒の旋回に伴って、起伏用油圧シリンダーに接続されている油圧ホースや、その他の配線類が他物に接触して損傷する虞があった。
【０００６】
このような穀粒搬出装置の周辺における油圧ホースや配線の他物との接触を防ぐには、例えば、穀粒搬出装置の周辺全体を包囲するように隔壁を設けるか、あるいは、油圧ホースや配線を、縦送り筒や横送り筒の外周部に止め付けて設けるような手段を講じることが考えられる。
しかしながら、前者のような隔壁を設けるには、穀粒搬出装置の周辺部分に隔壁を設置するための専用のスペースを確保する必要があり、スペース的に余裕のない車体上での保護手段としては実用的ではない。
また後者のように、油圧ホースや配線を縦送り筒や横送り筒の外周部に止め付けてしまうと、横送り筒の旋回や起伏揺動に伴って、機体固定部と縦送り筒との間、及び、縦送り筒と横送り筒との間における相対移動箇所で、油圧ホースや配線が極端な曲げや伸縮作用を受けることになるので、これを回避するための特別な手段が別途必要となる。現実には、単なる油圧ホースでそのような曲げや伸縮を許容する構成を得ることは不可能であるため、上記の相対移動箇所で油圧ホースに大きな弛みを持たせて前述の曲げや伸縮を許容する構成とすることが考えられるが、これでは、その大きな弛み部分が他物に引っ掛かるなどの虞が生じ、油圧ホースや配線を縦送り筒や横送り筒の外周部に止め付ける意味すら失われることになり、やはり実用的ではない。
【０００７】
本発明の目的は、穀粒搬出装置の周辺において、横送り筒の旋回や起伏揺動を行うためのアクチュエータに接続された線材と他物との接触を簡単な構造で抑制できるようにしたコンバインを提供することにある。
【課題を解決するための手段】
【０００８】
〔解決手段１〕
上記課題を解決するために講じた本発明の技術手段は、請求項１に記載のように、グレンタンクの下端側から取り出された穀粒を上方側へ揚送する縦送り筒と、その縦送り筒の上下軸心周りで旋回移動自在に、かつ、縦送り筒の上端近くの水平軸心周りで起伏揺動自在に構成された横送り筒とからなる穀粒搬出装置を設けたコンバインにおいて、
前記縦送り筒と横送り筒との間にわたって前記横送り筒を起伏揺動させるためのアクチュエータを備え、縦送り筒の上下軸心周りで旋回移動する横送り筒とともに前記上下軸心まわりで移動するガード部材を縦送り筒の外周面の外側に設けて、前記アクチュエータに接続された線材の外側を囲繞し、かつ、このガード部材には、横送り筒の旋回移動にともなって前記線材が縦送り筒の周方向で相対移動することを許容する空間を設けてあることを特徴とする。
【０００９】
〔作用及び効果〕
上記のように、解決手段１にかかる本発明のコンバインでは、縦送り筒の上端側で上下軸心周りで旋回移動自在、かつ起伏揺動自在な横送り筒を縦送り筒に対して起伏揺動させるために設けられたアクチュエータを備え、そのアクチュエータに対して接続された線材を保護するためのガード部材を設けるにあたり、前記ガード部材が、縦送り筒の上下軸心周りで旋回移動する横送り筒とともに前記上下軸心まわりで移動するように縦送り筒の外周面の外側に設け、かつ、そのガード部材に横送り筒の旋回移動にともなって前記線材が縦送り筒の周方向で相対移動することを許容する空間を設けてある。
つまり、ガード部材を用いて、アクチュエータに対して接続された線材が縦送り筒の外周部付近に位置する状態を維持するようにしながら、横送り筒の旋回時には、前記ガード部材が線材に対して相対移動しながら横送り筒と同方向に移動するので、線材を無理に引っ張ったり必要以上に緩み側へ操作することがない。
また、横送り筒の起伏揺動時には、前記ガード部材によって縦送り筒から離れる側への線材の移動を制限することができ、しかも、その制限が、縦送り筒に対する横送り筒の位置が前記空間に相当する旋回方向の広範囲で行われるので、他物への線材の接触を回避し易くなる。
【００１０】
したがって、横送り筒とともに旋回移動するようにガード部材を設け、かつ、そのガード部材に線材が周方向で相対移動することを許容する空間を形成するという、構造的にはきわめて簡単な構成によって、アクチュエータに接続された線材の保護を行うことができる利点がある。
【００１１】
〔解決手段２〕
本発明のコンバインにおける第２の解決手段は、請求項２の記載のように、ガード部材に設けられる空間は、横送り筒の旋回移動可能な角度範囲と同程度の角度範囲にわたって形成されていることを特徴とする。
【００１２】
〔作用及び効果〕
上記のように、解決手段２にかかる本発明のコンバインでは、ガード部材に設けられる空間が、横送り筒の旋回移動可能な角度範囲と同程度の角度範囲にわたって形成されているから、縦送り筒と横送り筒との相対的な位置関係が、横送り筒の旋回移動可能な角度範囲のどの位置であっても、前記ガード部材によって縦送り筒から離れる側への線材の移動を制限し、他物への線材の接触を回避し易くなる利点がある。
【００１３】
〔解決手段３〕
本発明のコンバインにおける第３の解決手段は、請求項３の記載のように、ガード部材よりも下方側に離れた位置で、ガード部材に設けられた空間よりも旋回方向での許容角度範囲が少ない線材支持体を、機体固定部側に設けてあることを特徴とする。
【００１４】
〔作用及び効果〕
上記のように、解決手段３にかかる本発明のコンバインでは、ガード部材よりも下方側に離れた位置にも線材支持体を設けてあるので、アクチュエータに接続された線材の縦送り筒の周辺からの離間をより一層確実に抑制することができる。
しかも、ガード部材よりも下方側に離れた位置に設けられる前記線材支持体は、ガード部材に設けられた空間よりも旋回方向での許容角度範囲が少ない状態で支持するものであるから、前記線材の支持を、前記ガード部材側での支持と、機体固定部側での支持との中間的な支持状態で行うことができる。
したがって、アクチュエータに接続された線材の支持を、横送り筒の動きによる影響が少ない機体固定部側から横送り筒の動きによる影響が大きい横送り筒側にわたって、次第に融通度合いが大きくなるような支持形態で支持し、より一層、縦送り筒外周からの線材の離反度合いの少ない状態で支持することができる利点がある。
【発明を実施するための最良の形態】
【００１５】
以下、本発明の実施の形態の一例を図面の記載に基づいて説明する。
【００１６】
〔コンバインの全体構成〕
まず、本発明を適用したコンバイン全体の構造について説明する。
図１には自脱形コンバインの全体側面が、図２にはその全体平面が示されている。このコンバインは、角パイプ材などによって枠状に形成した機体フレーム１を備え、機体フレーム１の下部に左右一対のクローラ式走行装置２を装備している。機体フレーム１の前方及び左前部には昇降揺動可能に連結した刈取搬送装置３が設けられ、機体フレーム１の左後部に脱穀装置４を搭載し、機体フレーム１の右後部に穀粒貯留装置５を搭載し、さらに、機体フレーム１の右前部に設けた原動部７、原動部７の上方側に形成した搭乗運転部８などを備えている。
【００１７】
左右の各クローラ式走行装置２は、搭乗運転部８に装備した変速レバー８０を前後方向に揺動操作することで、静油圧式無段変速装置（図外）による無段階の変速操作と前後進の切り換え操作とを行うことができ、又、搭乗運転部８に装備した操向操作レバー８１を左右方向に揺動操作することで、ミッションケース１１内のギヤ式変速装置（図外）による直進状態、左右の緩旋回状態、及び左右の急旋回状態の切り換えを行えるように構成されている。
【００１８】
刈取搬送装置３は、複数の引起装置３１、バリカン形の刈取装置３２、及び穀稈搬送装置３３、及び複数の分草具３４などで構成してあり、前記静油圧式無段変速装置による変速後の動力が図示しないベルトテンション式の刈取クラッチなどを介して伝達されるように構成してある。
このように構成された刈取搬送装置３は、機体の走行に伴って、その前端に装備された複数の分草具３４が倒伏した植立穀稈を分草し、各引起装置３１が分草後の植立穀稈を引き起こし、刈取装置３２が引き起こされた植立穀稈の株元側を切断し、穀稈搬送装置３３が刈取穀稈を起立姿勢から横倒し姿勢に切り換えながら後方の脱穀装置４に向けて搬送する。又、操向操作レバー８１を前後方向に揺動操作することで、リフトシリンダ（図外）の作動により刈取搬送装置３の全体が昇降操作されるように構成してある。
【００１９】
脱穀装置４は、穀稈搬送装置３３から受け渡された刈取穀稈の株元側を挟持して前後方向に搬送するフィードチェーン４１、及び、そのフィードチェーン４１で株元側を挟持搬送される穀稈の穂先側を扱き処理する扱胴、ならびに脱穀処理後の処理物を選別する選別装置などを備えた周知の構造によって構成されている。そして、選別処理して得られた穀粒を、図外の一番回収スクリューなどを介して穀粒貯留装置５のグレンタンク５０に供給搬送するように構成されている。
【００２０】
図１および図２に示すように、脱穀装置４の後部には、脱穀処理された後の排ワラを、長ワラのまま機外に放出する長ワラ放出状態と、細断して機外に放出する細断放出状態とに切り換え可能に構成された排ワラ処理装置４２が装備されている。
【００２１】
〔穀粒貯留装置の構成〕
穀粒貯留装置５は、脱穀処理後の穀粒が投入されるグレンタンク５０と、グレンタンク５０内の貯留穀粒を外部へ搬出するための穀粒搬出装置５１との組み合わせで構成されている。
【００２２】
前記グレンタンク５０は、機体後部側に備えた縦軸心ｙ周りで揺動変位可能に構成されており、その前部側が機体フレーム１の右外方に張り出してエンジン７０の後方側、及び脱穀装置４の右側方を開放するメンテナンス位置と、全体がエンジン７０の後方に位置するように格納された作業位置とに位置変更可能である。
また、このグレンタンク５０の機体横外側方である右側壁５０ａには、図１に示すように、右壁面５０ａの大部分を開放する大きな開口５０ｂを設けてあり、かつ、その開口５０ｂを閉塞する大きな蓋板５２を、多数の連結ボルト５３によって連結してある。したがって、大掛かりなメンテナンス時や掃除などの際には、前記蓋板５２を取り外すことにより、作業者がグレンタンク５０内に入り込んで作業することも可能である。
【００２３】
前記穀粒搬出装置５１は、グレンタンク５０の底部に備えられたスクリューコンベヤ５４で送り出される穀粒を上方側へ揚上搬送する縦送り筒５５と、縦送り筒５５の上端箇所から穀粒を横方向へ搬送して、吐出口５６Ｃから外部へ取り出す横送り筒５６とを備えて構成されている。前記縦送り筒５５は、内部に穀粒搬送用の縦送りスクリュー５５Ａを備え、横送り筒５６は内部に穀粒搬送用の横送りスクリュー５６Ａを備えている。
【００２４】
縦送り筒５５の外周部には環状の従動ギヤ５５Ｂが一体に形成してあり、機体フレーム１側の固定位置に支持された電動モータ５７側の駆動ギヤ５７Ａによって、前記縦送り筒５５、及びその縦送り筒５５の上端側に設けられた横送り筒５６を前記縦軸心ｙ周りで旋回作動可能に構成してある。
【００２５】
縦送り筒５５の上端側に連設される横送り筒５６は、前記縦送り筒５５の上端側と、前記横送り筒５６の横側部に一体に取り付けてある支持体５６Ｂとの間にわたって設けた油圧シリンダ５８（起伏揺動操作用のアクチュエータの一例）によって、前記縦送り筒５５の上端側における水平方向軸心ｘ周りで起伏揺動自在に構成されている。
【００２６】
前記横送り筒５６の穀粒搬送終端側における吐出口５６Ｃには、その内面側に、図５に示すような感圧センサー５９が付設されている。この感圧センサー５９は、吐出口５６Ｃ内で穀粒の詰まりが生じた場合にその圧力を検出するためのものであり、この感圧センサー５９による検出信号は、図外の制御装置によって判別され、必要に応じてエンジン停止、または警報などの処理が行われる。
【００２７】
〔ガード部材の構成〕
図１〜図４に示すように、縦送り筒５５の上部近くにおける外周面側には、起伏揺動操作用の前記油圧シリンダ５８への圧油給排用の油圧ホース５８ａ、及び各種センサー類などの電装品に対する配線用の電線ハーネス５８ｂなどが、縦送り筒５５の外周面から大きく離れた状態で縦送り筒５５や横送り筒とともに旋回する状態を避けられるようにガード部材６を設けてある。上記の油圧ホース５８ａが、起伏揺動操作用のアクチュエータである油圧シリンダ５８に接続された線材である。
【００２８】
前記ガード部材６は、縦送り筒５５の外周面に沿った部分円弧状の丸棒材の両端側を屈曲させて縦送り筒５５の上端側のフランジ部分５５Ｃの下側に、取付ボルト６１を介して着脱可能に取り付けてあり、前記フランジ部分５５Ｃの外周縁との間に、前記油圧ホース５８ａ及び電線ハーネス５８ｂなどの線材の外径に比べて、縦送り筒５５の径方向、及び周方向で十分に寸法上の余裕をもって挿入することのできる空間６０を形成している。
上記ガード部材６は、その両端側に取付板６２を備え、この取付板６２を前記フランジ部分５５Ｃの下側に当てつけた状態で前記取付ボルト６１で固定してある。
このガード部材６によって前記フランジ部分５５Ｃの外周縁との間に形成される空間６０の前記縦送り筒５５の周方向での範囲は、横送り筒５６の旋回移動可能な角度範囲と同程度の角度範囲に設定されている。
【００２９】
上記のようにガード部材６によって、形成される空間６０に前記油圧ホース５８ａ及び電源ハーネス５８ｂが挿通されていることで、横送り筒５６が前記縦軸心ｙ周りで旋回すると、油圧ホース５８ａ及び電源ハーネス５８ｂは横送り筒５６の旋回方向と同方向に移動しようとする。このとき、前記ガード部材６も同方向に移動するので、ガード部材６と前記油圧ホース５８ａ及び電源ハーネス５８ｂとがそれほど大きく相対移動するわけではないが、前記油圧ホース５８ａ及び電源ハーネス５８ｂの機体固定部側の端部は位置固定状態であるため、ある程度の相対移動を生じることになる。つまり、横送り筒５６の旋回方向が油圧ホース５８ａ及び電源ハーネス５８ｂの位置固定箇所から遠ざかる方向であれば引っ張られ、逆に近づく方向であれば押し戻されて、ガード部材６の空間６０内を周方向に移動する。
したがって、横送り筒５６の旋回揺動がその旋回許容範囲の全体にわたって支障なく行えるように、前記油圧ホース５８ａ及び電源ハーネス５８ｂの長さをある程度余裕をもって設定しておいても、その油圧ホース５８ａ及び電源ハーネス５８ｂが縦送り筒５５の外周面から離れる方向への移動が前記ガード部材６によって規制されることになる。
【００３０】
そして、横送り筒５６が前記水平方向軸心ｘ周りで起伏揺動する際には、前記油圧ホース５８ａ及び電源ハーネス５８ｂは、前記水平方向軸心ｘの半径方向で屈曲度合いを変化させるように動こうとするが、その動きが前記ガード部材６の存在によって制限されるので、油圧ホース５８ａ及び電源ハーネス５８ｂは、ガード部材６に対して、上下方向である程度相対移動する状態となり、やはり縦送り筒５５の外周面から離れる方向への移動を規制されることになる。
【００３１】
〔線材支持体〕
前記油圧ホース５８ａ及び電源ハーネス５８ｂは、前記ガード部材６のみによって前記横送り筒５６の旋回や起伏に伴う動きの規制が行われるだけではなく、線材支持体６３によっても規制される。
つまり、図１及び図３に示すように、一端側に油圧ホース５８ａ及び電源ハーネス５８ｂを囲繞する状態で支持する支持部分６３ａを備え、他端側に機体固定部側への取付部分６３ｂを備えた線材支持体６３を、前記ガード部材６よりも下方側に離れた位置に設けてある。
この線材支持体６３は、その支持部分６３ａに、図３及び図４に示すように、ガード部材６に設けられた空間６０よりも旋回方向での許容角度範囲が少なく設定された空間６４を備えている。
【００３２】
したがって、前記ガード部材６よりは少ない角度範囲で油圧ホース５８ａ及び電源ハーネス５８ｂの相対移動を許しながら、油圧ホース５８ａ及び電源ハーネス５８ｂの前記縦送り筒５５の外周面からの離反度合いを少なくするように制限している。
【００３３】
〔旋回高さ規制体〕
図１，２、及び図６に示すように、前記グレンタンク５０の天井部には、穀粒搬出装置５の横送り筒５６の旋回角度範囲内において、その横送り筒５６の旋回高さを規制するための旋回高さ規制体５０ｃを設けてある。
【００３４】
前記検出高さ規制体５０ｃは、前記穀粒搬出装置５の横送り筒５６が自走機体の上方を移動するに伴って、水平よりも下向き姿勢にある横送り筒５６を上方側へ持ち上げ案内するように機能させるためのものであり、後述する上下向き軸心ｙ回りで旋回する横送り筒５６が、自走機体１上を移動する際に、前記水平方向軸心ｘ回りで上下揺動して、比較的機体上の高さが高い搭乗運転部８を交わして、機体上の格納用支持台１２に載置させるようにするためのものである。
この検出高さ規制体５０ｃによる案内作用は、横送り筒５６の前記上下向き軸心ｙ回りの回動範囲で、前記格納用支持台１２が存在する位置から、搭乗運転部８が存在する側の機体横端部との間で機能するものであり、これ以外の範囲では、検出高さ規制体５０ｃによる案内作用は生じない。
【００３５】
〔別実施形態の１〕
最良の実施形態においては、ガード部材６によって形成される空間６０の前記縦送り筒５５の周方向での範囲は、横送り筒５６の旋回移動可能な角度範囲と同程度の角度範囲に設定したものであるが、この角度範囲はこのような範囲に設定されるだけのものに限らず、任意に設定することができる。すなわち、横送り筒の旋回揺動範囲にもよるが、前記油圧ホース５８ａ及び電源ハーネス５８ｂに過大な引っ張り作用や曲げ作用が作用することを避けられる程度に、ガード部材６と油圧ホース５８ａ及び電源ハーネス５８ｂなどの線材との相対移動が許容される程度であればよい。
【００３６】
〔別実施形態の２〕
最良の実施形態においては、ガード部材６の両端側をフランジ部分５５Ｃに固定した構造を示したが、これに限らず、一端側のみに取付板６２を設けてフランジ部分５５Ｃに固定し、他端側を自由端として、前記一端側の取付用ボルト６１を脱着することでガード部材６の脱着を行うようにしてもよい。また、前記一端側のみに取付板６２を設けてフランジ部分５５Ｃに固定し、他端側を自由端とし、かつ、ガード部材６を弾性変形可能な杆体で構成し、自由端側を掴んで弾性変形させることにより、空間６０に対して油圧ホース５８ａや電線ハーネス５８ｂなどの線材を横方向から出し入れできるように構成してもよい。
【００３７】
〔別実施形態の３〕
最良の実施形態においては、ガード部材６と、これよりも下方に離れた位置に線材支持体６３を設けたものを例示したが、必ずしもこの組み合わせによるものに限らず、ガード部材６を上下多段にもうけたり、線材支持体６３の配設箇所を複数箇所にしたり、あるいは、ガード部材６のみで構成するものであってよい。
【００３８】
〔別実施形態の４〕
最良の実施形態においては、縦送り筒５５の旋回作動を、縦送り筒５５の下部に設けた環状の従動ギヤ５５Ｂを利用して行うように構成した例を示したが、これに限らず、例えば、縦送り筒５５の上部に環状の従動ギヤ５５Ｂを設けて縦送り筒５５の上部及び横送り筒５６の旋回作動を行うように構成してもよい。このとき、ガード部材６は、縦送り筒５５の上部側で旋回作動される側に設けておく。
【００３９】
〔別実施形態の５〕
コンバインの形態としては自脱型コンバインに限らす、普通型コンバインに適用しても良いことはもちろんである。
【図面の簡単な説明】
【００４０】
【図１】自脱形コンバインの全体側面図
【図２】自脱形コンバインの全体平面図
【図３】穀粒搬出装置の一部を示す斜視図
【図４】ガード部材の取付状態を示す平面図
【図５】横送り筒の吐出口部分を示す断面図
【図６】旋回高さ規制体部分を示す背面図
【符号の説明】
【００４１】
１        機体フレーム
４        脱穀装置
５        穀粒貯留装置
６        ガード部材
５５      縦送り筒
５６      横送り筒
５８      油圧シリンダ（アクチュエータ）
５８ａ    油圧ホース（線材）
６０      空間
６３      線材支持体
ｘ        水平方向軸心
ｙ        縦軸心
【図１】
2010124787.tif 000003
【図２】
2010124787.tif 000004
【図３】
2010124787.tif 000005
【図４】
2010124787.tif 000006
【図５】
2010124787.tif 000007
【図６】
2010124787.tif 000008